(57)【特許請求の範囲】
【請求項１】
電線を種類毎に収容している複数の電線収容体から、ワイヤハーネスの製造に用いる前記電線の採集を指示し、該指示した前記電線が採集されたか否かを判定する電線採集判定装置であって、
前記ワイヤハーネスを構成する前記電線を示す構成情報を複数記憶する構成情報記憶手段と、
前記電線が収容される前記電線収容体の位置を示す位置情報を前記構成情報に関連付けて記憶する位置情報記憶手段と、
前記指示の対象となる前記ワイヤハーネスに対応する前記構成情報と該構成情報に関連付けられた前記位置情報を、前記構成情報記憶手段及び前記位置情報記憶手段からそれぞれ抽出する抽出手段と、
前記抽出手段が抽出した前記構成情報及び前記位置情報に基づいて、前記電線収容体から前記電線を採集する採集順番を指示するための指示情報を生成する指示情報生成手段と、
前記指示情報生成手段が生成した前記指示情報を表示部に表示させる制御を行う表示制御手段と、
前記指示情報の表示に応じて採集された前記電線側の識別情報を取り込む識別情報取込手段と、
前記識別情報取込手段が取り込んだ前記識別情報に基づいて、前記指示情報生成手段が生成した前記指示情報の示す前記電線が採集されたか否かを判定する判定手段と、
を備えることを特徴とする電線採集判定装置。
【請求項２】
前記指示情報生成手段は、前記抽出した複数の前記位置情報に基づいて、前記採集を行うために前記電線収容体を巡回する距離及び巡回に要する時間の少なくとも一方が最短となるように前記採集順番を定める
ことを特徴とする請求項１に記載の電線採集判定装置。
【請求項３】
前記指示情報生成手段は、採集する前記電線の種類毎に対応して前記指示情報を生成し、
前記表示制御手段は、前記判定手段にて前記電線が採集されたと判定されると、次の前記指示情報を表示させるように前記制御を行う
ことを特徴とする請求項１又は２に記載の電線採集判定装置。
【請求項４】
前記判定手段にて前記電線が採集されていないと判定すると、誤った前記電線を採集したことを警報するための警報情報を生成する警報情報生成手段と、
前記警報情報生成手段が生成した前記警報情報に基づいた前記警報を行う警報手段と、
をさらに備えることを特徴とする請求項１〜３の何れかに記載の電線採集判定装置。
【請求項５】
前記指示情報によって指示された前記電線が前記電線収容体に存在しないときに、外部からの入力に応じて前記電線が欠品であることを示す欠品情報を生成する欠品情報生成手段と、
前記欠品情報生成手段が生成した前記欠品情報を出力する欠品情報出力手段と、
をさらに備えることを特徴とする請求項１〜４の何れかに記載の電線採集判定装置。
【請求項６】
前記判定手段が判定した判定結果を、前記採集した前記電線の実績を示す実績情報として記憶する実績情報記憶手段と、
前記実績情報記憶手段が記憶している前記実績情報に全ての前記指示情報に対応する前記判定結果が存在していないと判定すると、前記電線の欠品が発生したことを警報するための欠品警報情報を生成する欠品警報情報生成手段と、
前記欠品警報情報生成手段が生成した前記欠品警報情報を出力する欠品警報情報出力手段と、
をさらに備えることを特徴とする請求項１〜５の何れかに記載の電線採集判定装置。
【請求項７】
装置本体を携帯可能な機器として形成した
ことを特徴とする請求項１〜６の何れかに記載の電線採集判定装置。
【請求項８】
電線を種類毎に収容している複数の電線収容体から、ワイヤハーネスの製造に用いる前記電線の採集を指示し、該指示した前記電線が採集されたか否かをコンピュータに判定させるための電線採集判定プログラムを記憶したコンピュータ読み取り可能な記憶媒体であって、
前記ワイヤハーネスを構成する前記電線を示す複数の構成情報の中から、前記指示の対象となる前記ワイヤハーネスに対応する前記構成情報と、該構成情報に関連付けられた前記電線が収容される前記電線収容体の位置を示す位置情報を抽出する抽出手段、
前記抽出手段が抽出した前記構成情報及び前記位置情報に基づいて、前記電線収容体から前記電線を採集する採集順番を指示するための指示情報を生成する指示情報生成手段、
前記指示情報生成手段が生成した前記指示情報を表示部に表示させる制御を行う表示制御手段、
前記指示情報の表示に応じて採集された前記電線側の識別情報を取り込む識別情報取込手段、
前記識別情報取込手段が取り込んだ前記識別情報に基づいて、前記指示情報生成手段が生成した前記指示情報の示す前記電線が採集されたか否かを判定する判定手段、
としてコンピュータを機能させるための電線採集判定プログラムを記憶したコンピュータ読み取り可能な記憶媒体。
【請求項９】
前記指示情報生成手段を、前記抽出した複数の前記位置情報に基づいて、前記採集を行うために前記電線収容体を巡回する距離及び巡回に要する時間の少なくとも一方が最短となるように前記採集順番を定める手段
としてコンピュータを機能させるための電線採集判定プログラムを記憶した請求項８に記載のコンピュータ読み取り可能な記憶媒体。
【請求項１０】
前記指示情報生成手段を、採集する前記電線の種類毎に対応して前記指示情報を生成する手段、
前記表示制御手段を、前記判定手段にて前記電線が採集されたと判定すると、次の前記指示情報を表示させるように前記制御を行う手段
としてコンピュータを機能させるための電線採集判定プログラムを記憶した請求項８又は９に記載のコンピュータ読み取り可能な記憶媒体。
【請求項１１】
電線を種類毎に収容している複数の電線収容体から、ワイヤハーネスの製造に用いる前記電線の採集を指示し、該指示した前記電線が採集されたか否かをコンピュータに判定させるための電線採集判定プログラムを記憶したコンピュータ読み取り可能な記憶媒体であって、
前記ワイヤハーネスを構成する前記電線を示す複数の構成情報の中から、前記指示の対象となる前記ワイヤハーネスに対応する前記構成情報と、該構成情報に関連付けられた前記電線が収容される前記電線収容体の位置を示す位置情報とが抽出され、該抽出された前記構成情報及び前記位置情報に基づいて前記電線収容体から前記電線を採集する採集順番を指示するために生成された指示情報を、表示部に表示させる制御を行う表示制御手段、
前記指示情報の表示に応じて採集された前記電線側の識別情報を取り込む識別情報取込手段、
前記識別情報取込手段が取り込んだ前記識別情報に基づいて、前記指示情報の示す前記電線が採集されたか否かを判定する判定手段、
としてコンピュータを機能させるための電線採集判定プログラムを記憶したコンピュータ読み取り可能な記憶媒体。
【請求項１２】
前記判定手段にて前記電線が採集されていないと判定すると、誤った前記電線を採集したことを警報するための警報情報を生成する警報情報生成手段、
前記警報情報生成手段が生成した前記警報情報に基づいた前記警報を行う警報手段、
としてさらにコンピュータを機能させるための電線採集判定プログラムを記憶した請求項８〜１１の何れかに記載のコンピュータ読み取り可能な記憶媒体。
【請求項１３】
前記指示情報によって指示された前記電線が前記電線収容体に存在しないときに、外部からの入力に応じて前記電線が欠品であることを示す欠品情報を生成する欠品情報生成手段、
前記欠品情報生成手段が生成した前記欠品情報を出力する欠品情報出力手段、
としてさらにコンピュータを機能させるための電線採集判定プログラムを記憶した請求項８〜１２の何れかに記載のコンピュータ読み取り可能な記憶媒体。
【請求項１４】
前記判定手段が判定した判定結果を前記採集した前記電線の実績として示す実績情報に、全ての前記指示情報に対応する前記判定結果が存在していないと判定すると、前記電線の欠品が発生したことを警報するための欠品警報情報を生成する欠品警報情報生成手段、
前記欠品警報情報生成手段が生成した前記欠品警報情報を出力する欠品警報情報出力手段、
としてさらにコンピュータを機能させるための電線採集判定プログラムを記憶した請求項８〜１３の何れかに記載のコンピュータ読み取り可能な記憶媒体。
【発明の詳細な説明】
【０００１】
【発明の属する技術分野】
本発明は、電線採集判定装置及び電線採集判定プログラムを記憶したコンピュータ読み取り可能な記憶媒体に関し、より詳細には、電線を種類毎に収容している複数の電線収容体から、ワイヤハーネスの製造に用いる前記電線の採集を指示し、該指示した前記電線が採集されたか否かを判定する電線採集判定装置、及び指示した電線が採集されたか否かを判定する手段としてコンピュータを機能させるための指示情報生成プログラムを記憶したコンピュータ読み取り可能な記憶媒体に関するものである。
【０００２】
【従来の技術】
車両等に搭載されるワイヤハーネスは、複数種類の電線を結束して形成している。このワイヤハーネスは、一般的に複数の作業段階を経て形成されており、例えば、複数のサブアッセンブリ（以下、仮結束体という）に分割され、個々の仮結束体を組み付けた後、これら仮結束体を束ねて本結束することによりワイヤハーネスが完成されるようになっている。
【０００３】
また、上述した電線はその種類毎に電線収容体に収容されており、例えば、複数の電線収容体をマトリックス状に集合させて棚を形成し、工場ではワイヤハーネスの製造に用いる電線を保管するために複数の棚を設けて電線を保管している。そして、作業者は電線収容体からワイヤハーネスの製造に用いる電線を、作業指示書等で指示された複数の電線収容体から採集するようにしていた。
【０００４】
【発明が解決しようとする課題】
ところが、工場のレイアウトの変更や電線の種類の増加などが生じると、電線収容体の位置の変更も生じるため、この変更に伴って電線の採集を指示する作業指示書も再作成しなければならない。しかしながら、作業指示書は様々な条件に基づいて作成しなければならないため、作業指示書の作成には多くの時間を要してしまうという問題があった。特に、近年の電線の品番の増加や共通化に伴って作業指示書の作成はより困難なものとなっていた。
【０００５】
また、作業指示書によって指示した電線が正しく採集されたか否かは、作業者の目視によって確認していたため、誤った電線が採集されてしまう可能性があった。この問題に対処する装置としては、特開平８−７８９００号公報によって電線収容体からの電線の取り出しを確実に検出する装置等が開示されているが、この装置では、電線収容体毎に検出部を設けなければならないため、装置のコストアップや電線収容体のレイアウトの変更が困難となるという問題が生じてしまう。特に、電線の品番の増加が生じると、装置のコストがさらに増加してしまうという問題が生じる。
【０００６】
よって本発明は、上述した問題点に鑑み、電線収容体の位置の移動に容易に対応でき、かつ指示した電線が採集されたかを判定することができる電線採集判定装置、及び電線採集判定プログラムを記憶したコンピュータ読み取り可能な記憶媒体を提供することを課題としている。
【０００７】
【課題を解決するための手段】
上記課題を解決するため本発明によりなされた請求項１記載の電線採集判定装置は、図１の基本構成図に示すように、電線を種類毎に収容している複数の電線収容体から、ワイヤハーネスの製造に用いる前記電線の採集を指示し、該指示した前記電線が採集されたか否かを判定する電線採集判定装置であって、前記ワイヤハーネスを構成する前記電線を示す構成情報を複数記憶する構成情報記憶手段２０ｄ１と、前記電線が収容される前記電線収容体の位置を示す位置情報を前記構成情報に関連付けて記憶する位置情報記憶手段２０ｄ２と、前記指示の対象となる前記ワイヤハーネスに対応する前記構成情報と該構成情報に関連付けられた前記位置情報を、前記構成情報記憶手段２０ｄ１及び前記位置情報記憶手段２０ｄ２からそれぞれ抽出する抽出手段２０ａ１と、前記抽出手段２０ａ１が抽出した前記構成情報及び前記位置情報に基づいて、前記電線収容体から前記電線を採集する採集順番を指示するための指示情報を生成する指示情報生成手段２０ａ２と、前記指示情報生成手段２０ａ２が生成した前記指示情報を表示部１４ａに表示させる制御を行う表示制御手段１１ａ１と、前記指示情報の表示に応じて採集された前記電線側の識別情報を取り込む識別情報取込手段１６と、前記識別情報取込手段１６が取り込んだ前記識別情報に基づいて、前記指示情報生成手段２０ａ２が生成した前記指示情報の示す前記電線が採集されたか否かを判定する判定手段１１ａ２と、を備えることを特徴とする。
【０００８】
上記請求項１に記載した本発明の電線採集判定装置によれば、複数構成情報記憶手段２０ｄ１にワイヤハーネスを構成する電線を示す構成情報が記憶され、位置情報記憶手段２０ｄ２に電線が収容される電線収容体の位置を示す位置情報が電線情報に関連付けられて記憶される。そして、指示の対象となるワイヤハーネスに対応する構成情報とこの構成情報に関連付けられた位置情報が、抽出手段２０ａ１によって構成情報記憶手段２０ｄ１及び位置情報記憶手段２０ｄ２からそれぞれ抽出される。そして、この構成情報及び位置情報に基づいて、電線収容体から電線を採集する採集順番を指示するための指示情報が指示情報生成手段２０ａ２によって生成され、この指示情報を表示部１４ａに表示させる制御が表示制御手段１１ａ１によって行われる。そして、指示情報によって電線が採集されて電線側の識別情報が識別情報取込手段１６によって取り込まれると、この識別情報に基づいて前記指示情報にて指示した電線が採集されたか否かが判定手段１１ａ２によって判定される。
【０００９】
よって、電線情報とそれに対応する位置情報を関連付けて記憶し、電線情報と位置情報に基づいて指示情報を生成し、この生成した指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、指示情報に基づいて指示した電線が採集されたか否かを判定するので、作業者が誤った電線を採集したことを検出することができるため、誤った電線の採集を阻止することができる。従って、電線収容体の位置の移動に容易に対応でき、かつ指示した電線を正確に採集させることができる電線採集判定装置を提供することができる。
【００１０】
上記課題を解決するためになされた請求項２記載の発明は、図１の基本構成図に示すように、請求項１に記載の電線採集判定装置において、前記指示情報生成手段２０ａ２は、前記抽出した複数の前記位置情報に基づいて、前記採集を行うために前記電線収容体を巡回する距離及び巡回に要する時間の少なくとも一方が最短となるように前記採集順番を定めることを特徴とする。
【００１１】
上記請求項２に記載した本発明の電線採集判定装置によれば、抽出した複数の位置情報に基づいて、採集を行うために電線収容体を巡回する距離及び巡回に要する時間の少なくとも一方が最短となる順番で指示情報が指示情報生成手段２０ａ２によって生成される。よって、電線の採集を行うために電線収容体を巡回する距離及び巡回に要する時間の少なくとも一方が最短となる順番になるように電線を採集する採集順番を定めて指示情報を生成しているため、この指示情報に基づいて電線の採集を指示することで、作業者は電線収容体を巡回する距離及び巡回に要する時間の少なくとも一方が最短で電線を採集することができる。従って、指示情報に基づいて電線の採集順番を指示することで、作業者は効率よく電線の採集を行うことができる。
【００１２】
上記課題を解決するためになされた請求項３記載の発明は、図１の基本構成図に示すように、請求項１又は２に記載の電線採集判定装置において、前記指示情報生成手段２０ａ２は、採集する前記電線の種類毎に対応して前記指示情報を生成し、前記表示制御手段１１ａ１は、前記判定手段１１ａ２にて前記電線が採集されたと判定されると、次の前記指示情報を表示させるように前記制御を行うことを特徴とする。
【００１３】
上記請求項３に記載した本発明の電線採集判定装置によれば、指示情報は採集する電線の種類毎に対応して指示情報生成手段２０ａ２によって生成される。そして、指示情報によって指示された電線が採集されたと判定手段１１ａ２によって判定されると、次の前記指示情報を表示させるように表示制御手段１１ａ１によって表示が制御される。よって、採集する電線はその種類毎に指示され、指示した電線が採集されるまで次の指示を行わないため、正確に電線の採集を行うことができる。従って、指示した電線をより一層正確に作業者に採集させることができる。
【００１４】
上記課題を解決するためになされた請求項４記載の発明は、図１の基本構成図に示すように、請求項１〜３の何れかに記載の電線採集判定装置において、前記判定手段１１ａ２にて前記電線が採集されていないと判定すると、誤った前記電線を採集したことを警報するための警報情報を生成する警報情報生成手段１１ａ３と、前記警報情報生成手段１１ａ３が生成した前記警報情報に基づいた前記警報を行う警報手段１４ｂと、をさらに備えることを特徴とする。
【００１５】
上記請求項４に記載した本発明の電線採集判定装置によれば、判定手段１１ａ２にて電線が採集されていないと判定されると、警報情報生成手段１１ａ３によって警報情報が生成され、この警報情報に基づいた警報が警報手段１４ｂに行われる。よって、指示した電線が採集されないと、警報手段１４ｂが警報するので、作業者は速やかに誤った電線を採集したことを認識することができる。従って、誤った電線の採集を確実に防止することができる。
【００１６】
上記課題を解決するためになされた請求項５記載の発明は、図１の基本構成図に示すように、請求項１〜４の何れかに記載の電線採集判定装置において、前記指示情報によって指示された前記電線が前記電線収容体に存在しないときに、外部からの入力に応じて前記電線が欠品であることを示す欠品情報を生成する欠品情報生成手段１１ａ４と、前記欠品情報生成手段１１ａ４が生成した前記欠品情報を出力する欠品情報出力手段１１ａ５と、をさらに備えることを特徴とする。
【００１７】
上記請求項５に記載した本発明の電線採集判定装置によれば、指示情報にて指示された電線が電線収容体に存在しないと、欠品情報が欠品情報生成手段１１ａ４によって生成される。そして、この欠品情報は欠品情報出力手段１１ａ５によって表示装置や通信装置などに出力される。よって、作業者や在庫管理装置等からの入力によって指示した電線が電線収容体に存在しないことを認識すると欠品情報を生成し、この欠品情報を表示装置、通信装置等に出力することで、電線の欠品を管理者等に認識させることができる。従って、欠品情報の出力に応じて欠品となっている電線の補充等のメンテナンスを行うことができる。
【００１８】
上記課題を解決するためになされた請求項６記載の発明は、図１の基本構成図に示すように、請求項１〜５の何れかに記載の電線採集判定装置において、前記判定手段１１ａ２が判定した判定結果を、前記採集した前記電線の実績を示す実績情報として記憶する実績情報記憶手段２０ｄ３と、前記実績情報記憶手段２０ｄ３が記憶している前記実績情報に全ての前記指示情報に対応する前記判定結果が存在していないと判定すると、前記電線の欠品が発生したことを警報するための欠品警報情報を生成する欠品警報情報生成手段２０ａ３と、前記欠品警報情報生成手段２０ａ３が生成した前記欠品警報情報を出力する欠品警報情報出力手段２０ａ４と、をさらに備えることを特徴とする。
【００１９】
上記請求項６に記載した本発明の電線採集判定装置によれば、判定手段１１ａ２の判定結果は実績情報として実績情報記憶手段２０ｄ３に記憶される。そして、全ての前記指示情報に対応する実績情報が判定結果実績情報記憶手段２０ｄ３に記憶されていないと、欠品警報情報が欠品警報情報生成手段２０ａ３によって生成され、この欠品警報情報は欠品警報情報出力手段２０ａ４によって出力される。よって、採集した電線が指示した電線か否かを判定した判定結果を実績情報として記憶しておき、全ての指示情報に対応する実績情報が存在していないと、欠品が生じていると判定することができるため、欠品を検出した時に欠品警報情報を生成して例えば表示装置、通信装置等に出力することで、電線の欠品を管理者等に警報することができる。従って、実績情報に基づいて欠品警報情報を自動的に生成して出力することで、この出力に応じて欠品となっている電線の補充等のメンテナンスを行うことができる。
【００２０】
上記課題を解決するためになされた請求項７記載の発明は、図１の基本構成図に示すように、請求項１〜６の何れかに記載の電線採集判定装置において、装置本体を携帯可能な機器として形成したことを特徴とする。
【００２１】
上記請求項７に記載した本発明の電線採集判定装置によれば、装置本体は作業者等による携帯が可能なように形成される。よって、作業者等が装置本体を携帯した状態で電線の採集を行うことができるので、指示に応じて電線を採集する毎にその場で正しい電線を採集したか否かを判定することができる。従って、作業者等に装置本体を携帯させることで、指示した電線をより一層確実に採集させることができる。
【００２２】
上記課題を解決するため本発明によりなされた請求項８記載のコンピュータ読み取り可能な記録媒体は、図１の基本構成図に示すように、電線を種類毎に収容している複数の電線収容体から、ワイヤハーネスの製造に用いる前記電線の採集を指示し、該指示した前記電線が採集されたか否かをコンピュータに判定させるための電線採集判定プログラムを記憶したコンピュータ読み取り可能な記憶媒体であって、前記ワイヤハーネスを構成する前記電線を示す複数の構成情報の中から、前記指示の対象となる前記ワイヤハーネスに対応する前記構成情報と、該構成情報に関連付けられた前記電線が収容される前記電線収容体の位置を示す位置情報を抽出する抽出手段２０ａ１、前記抽出手段２０ａ１が抽出した前記構成情報及び前記位置情報に基づいて、前記電線収容体から前記電線を採集する採集順番を指示するための指示情報を生成する指示情報生成手段２０ａ２、前記指示情報生成手段２０ａ２が生成した前記指示情報を表示部１４ａに表示させる制御を行う表示制御手段１１ａ１、前記指示情報の表示に応じて採集された前記電線側の識別情報を取り込む識別情報取込手段１６、前記識別情報取込手段１６が取り込んだ前記識別情報に基づいて、前記指示情報生成手段２０ａ２が生成した前記指示情報の示す前記電線が採集されたか否かを判定する判定手段１１ａ２、としてコンピュータを機能させるための電線採集判定プログラムを記憶したコンピュータ読み取り可能な記憶媒体である。
【００２３】
上記請求項８に記載した本発明のコンピュータ読み取り可能な記録媒体によれば、コンピュータは、ワイヤハーネスを構成する前記電線を示す複数の構成情報の中から、指示の対象となるワイヤハーネスに対応する構成情報と、構成情報に関連付けられた電線が収容される電線収容体の位置を示す位置情報を抽出する。そして、この構成情報と位置情報とに基づいて指示情報を生成し、この指示情報を表示部１４ａに表示させる制御を行う。そして、指示情報の表示に応じて採集された電線側の識別情報を取り込むと、この識別情報に基づいて指示情報の示す前記電線が採集されたか否かを判定する。よって、コンピュータは電線情報とそれに対応する位置情報を関連付けて記憶された電線情報と位置情報に基づいて指示情報を生成し、この生成した指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、コンピュータは指示情報に基づいて指示した電線が採集されたか否かを判定するので、作業者が誤った電線を採集したことを検出することができるため、誤った電線の採集を阻止することができる。従って、電線収容体の位置の移動に容易に対応でき、かつ指示した電線を正確に採集させることができる電線採集判定プログラムを記憶したコンピュータ読み取り可能な記憶媒体を提供することができる。
【００２４】
上記課題を解決するためになされた請求項９記載の発明は、図１の基本構成図に示すように、前記指示情報生成手段２０ａ２を、前記抽出した複数の前記位置情報に基づいて、前記採集を行うために前記電線収容体を巡回する距離及び巡回に要する時間の少なくとも一方が最短となるように前記採集順番を定める手段としてコンピュータを機能させるための電線採集判定プログラムを記憶した請求項８に記載のコンピュータ読み取り可能な記憶媒体である。
【００２５】
上記請求項９に記載した本発明のコンピュータ読み取り可能な記録媒体によれば、コンピュータは、抽出した複数の位置情報に基づいて、採集を行うために電線収容体を巡回する距離及び巡回に要する時間の少なくとも一方が最短となる順番で指示情報を生成する。よって、コンピュータは電線の採集を行うために電線収容体を巡回する距離及び巡回に要する時間の少なくとも一方が最短となる順番になるように電線を採集する採集順番を定めて指示情報を生成するため、この指示情報に基づいて電線の採集を指示することで、作業者は電線収容体を巡回する距離及び巡回に要する時間の少なくとも一方が最短で電線を採集することができる。従って、指示情報に基づいて電線の採集順番を指示することで、作業者に効率よく電線の採集を行わせることができる電線採集判定プログラムを記憶したコンピュータ読み取り可能な記憶媒体を提供することができる。
【００２６】
上記課題を解決するためになされた請求項１０記載の発明は、図１の基本構成図に示すように、前記指示情報生成手段２０ａ２を、採集する前記電線の種類毎に対応して前記指示情報を生成する手段、前記表示制御手段１１ａ１を、前記判定手段１１ａ２にて前記電線が採集されたと判定すると、次の前記指示情報を表示させるように前記制御を行う手段、としてコンピュータを機能させるための電線採集判定プログラムを記憶した請求項８又は９に記載のコンピュータ読み取り可能な記憶媒体である。
【００２７】
上記請求項１０に記載した本発明のコンピュータ読み取り可能な記録媒体によれば、コンピュータは、指示情報を採集する電線の種類毎に対応して生成する。そして、指示情報によって指示された電線が採集されたと判定したときに、次の指示情報が表示部１４ａに表示されるように制御する。よって、コンピュータは採集する電線の種類毎に指示を行い、この指示した電線が採集されるまで次の指示を行わないため、正確に電線の採集を行うことができる。従って、指示した電線をより一層正確に作業者に採集させることができる電線採集判定プログラムを記憶したコンピュータ読み取り可能な記憶媒体を提供することができる。
【００２８】
上記課題を解決するため本発明によりなされた請求項１１記載のコンピュータ読み取り可能な記録媒体は、図１の基本構成図に示すように、電線を種類毎に収容している複数の電線収容体から、ワイヤハーネスの製造に用いる前記電線の採集を指示し、該指示した前記電線が採集されたか否かをコンピュータに判定させるための電線採集判定プログラムを記憶したコンピュータ読み取り可能な記憶媒体であって、前記ワイヤハーネスを構成する前記電線を示す複数の構成情報の中から、前記指示の対象となる前記ワイヤハーネスに対応する前記構成情報と、該構成情報に関連付けられた前記電線が収容される前記電線収容体の位置を示す位置情報とが抽出され、該抽出された前記構成情報及び前記位置情報に基づいて前記電線収容体から前記電線を採集する採集順番を指示するために生成された指示情報を、表示部１４ａに表示させる制御を行う表示制御手段１１ａ１、前記指示情報の表示に応じて採集された前記電線側の識別情報を取り込む識別情報取込手段１６、前記識別情報取込手段１６が取り込んだ前記識別情報に基づいて、前記指示情報の示す前記電線が採集されたか否かを判定する判定手段１１ａ２、としてコンピュータを機能させるための電線採集判定プログラムを記憶したコンピュータ読み取り可能な記憶媒体である。
【００２９】
上記請求項１１に記載した本発明のコンピュータ読み取り可能な記録媒体によれば、コンピュータは、構成情報とこの構成情報に関連付けられた位置情報とに基づいて生成された指示情報を表示部１４ａに表示させる制御を行う。そして、この指示情報の表示に応じて採集された電線側の識別情報を取り込むと、この識別情報に基づいて指示情報の示す前記電線が採集されたか否かを判定する。よって、コンピュータは電線情報とこの電線情報に関連付けられた位置情報とに基づいて生成された指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、コンピュータは指示情報に基づいて指示した電線が採集されたか否かを判定するので、作業者が誤った電線を採集したことを検出することができるため、誤った電線の採集を阻止することができる。従って、電線収容体の位置の移動に容易に対応でき、かつ指示した電線を正確に採集させることができる電線採集判定プログラムを記憶したコンピュータ読み取り可能な記憶媒体を提供することができる。
【００３０】
上記課題を解決するためになされた請求項１２記載の発明は、図１の基本構成図に示すように、前記判定手段１１ａ２にて前記電線が採集されていないと判定すると、誤った前記電線を採集したことを警報するための警報情報を生成する警報情報生成手段１１ａ３、前記警報情報生成手段１１ａ３が生成した前記警報情報に基づいた前記警報を行う警報手段１４ｂ、としてさらにコンピュータを機能させるための電線採集判定プログラムを記憶した請求項８〜１１の何れかに記載のコンピュータ読み取り可能な記憶媒体である。
【００３１】
上記請求項１２に記載した本発明のコンピュータ読み取り可能な記録媒体によれば、コンピュータは、指示した電線が採集されていないと判定すると、警報情報を生成し、この警報情報に基づいた警報を警報手段１４ｂに行わせる。よって、コンピュータは指示した電線が採集されていないと判定すると警報手段１４ｂに警報させるので、作業者は速やかに誤った電線を採集したことを認識することができる。従って、誤った電線の採集を確実に防止させることができる電線採集判定プログラムを記憶したコンピュータ読み取り可能な記憶媒体を提供することができる。
【００３２】
上記課題を解決するためになされた請求項１３記載の発明は、図１の基本構成図に示すように、前記指示情報によって指示された前記電線が前記電線収容体に存在しないときに、外部からの入力に応じて前記電線が欠品であることを示す欠品情報を生成する欠品情報生成手段１１ａ４、前記欠品情報生成手段１１ａ４が生成した前記欠品情報を出力する欠品情報出力手段１１ａ５、としてさらにコンピュータを機能させるための電線採集判定プログラムを記憶した請求項８〜１２の何れかに記載のコンピュータ読み取り可能な記憶媒体である。
【００３３】
上記請求項１３に記載した本発明のコンピュータ読み取り可能な記録媒体によれば、コンピュータは、指示情報によって指示された電線が電線収容体に存在しないときに外部からの入力に応じて欠品情報を生成して表示装置や通信装置などに出力する。よって、コンピュータは作業者や在庫管理装置等の外部からの入力によって指示した電線が電線収容体に存在しないことを認識すると欠品情報を生成し、この欠品情報を表示装置、通信装置等に出力することで、電線の欠品を管理者等に認識させることができる。従って、欠品情報の出力に応じて欠品となっている電線の補充等のメンテナンスに貢献することができる電線採集判定プログラムを記憶したコンピュータ読み取り可能な記憶媒体を提供することができる。
【００３４】
上記課題を解決するためになされた請求項１４記載の発明は、図１の基本構成図に示すように、前記判定手段１１ａ２が判定した判定結果を前記採集した前記電線の実績として示す実績情報に、全ての前記指示情報に対応する前記判定結果が存在していないと判定すると、前記電線の欠品が発生したことを警報するための欠品警報情報を生成する欠品警報情報生成手段２０ａ３、前記欠品警報情報生成手段２０ａ３が生成した前記欠品警報情報を出力する欠品警報情報出力手段２０ａ４、としてさらにコンピュータを機能させるための電線採集判定プログラムを記憶した請求項８〜１３の何れかに記載のコンピュータ読み取り可能な記憶媒体である。
【００３５】
上記請求項１４に記載した本発明のコンピュータ読み取り可能な記録媒体によれば、コンピュータは、識別情報に基づいて指示情報にて指示した電線が採集されたか否かの判定結果を示す実績情報に、全ての指示情報に対応する実績情報が存在していないと欠品が生じていると判定して欠品警報情報を生成して表示装置や通信装置などに出力する。よって、コンピュータは採集した電線が指示した電線か否かを判定した判定結果を示す実績情報に全ての指示情報に対応する実績情報が存在していないと、欠品が生じていると判定して欠品警報情報を生成し、この欠品警報情報を例えば表示装置、通信装置等に出力するので、電線の欠品を管理者等に警報することができる。従って、実績情報に基づいて欠品警報情報を自動的に生成して出力することで、この出力に応じて欠品となっている電線の補充等のメンテナンスに貢献することができる電線採集判定プログラムを記憶したコンピュータ読み取り可能な記憶媒体を提供することができる。
【００３６】
【発明の実施の形態】
以下、本発明に係る電線採集判定装置の一実施の形態を、図２〜図１２の図面を参照して説明する。
【００３７】
ここで、図２は本発明に係る電線採集判定装置の概略構成を示す構成図であり、図３は図２のハンディターミナルの概略構成を示す構成図であり、図４は電線側に設けられる識別情報の一例を説明するための図であり、図５は図２のパソコンの概略構成を示す構成図であり、図６は図５の記憶装置に記憶するファイルを説明するための図であり、図７は構成情報の一例を説明するための図であり、図８は位置情報の一例を説明するための図であり、図９は電線収容体が設けられる工場における位置の概念の一例を説明するための図であり、図１０は指示情報の一例を説明するための図であり、図１１は電線採集判定装置の処理概要の一部を示したフローチャートであり、図１２は電線採集判定装置の処理概要の他の一部を示したフローチャートである。
【００３８】
本発明に係る電線採集判定装置は、ワイヤハーネスを製造する工場等に設けられ、大別すると、図２に示すように、作業者が携帯可能なハンディターミナル１０と、このハンディターミナル１０が着脱自在に接続されるパーソナル・コンピュータ（以下、パソコンという）２０とを有して構成している。
【００３９】
なお、本実施の形態では、ハンディターミナル１０とパソコン２０をケーブルＣを介して接続する場合について説明するが、ハンディターミナル１０とパソコン２０を接続せずに、無線通信などによってデータの送受信を行うような実施の形態とすることもできる。
【００４０】
まず、ハンディターミナル１０は、図３に示すように、予め定められたプログラムに従って動作するマイクロコンピュータ（μＣＯＭ）１１を有する。μＣＯＭ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００４１】
また、μＣＯＭ１１には、装置本体がオフ状態の間も記憶内容の保持が可能な電気的消去／書き換え可能な読み出し専用のメモリ（ＥＥＰＲＯＭ）１２を接続している。このＥＥＰＲＯＭ１２は、収集した実績情報等を格納する格納エリアを有する。
【００４２】
ハンディターミナル１０はさらに、コネクタ部１３、表示部１４、操作部１５、リーダ部１６等を備える構成となっている。そして、コネクタ部１３、表示部１４、操作部１５、リーダ部１６の各々はインタフェース部１７を介してμＣＯＭ１１に接続している。
【００４３】
コネクタ部１３には、ハンディターミナル１０とパソコン２０とをケーブルＣにて接続するためにＲＳ−２３２Ｃ、ＵＳＢ（Universal Serial Bus）等のコネクタを用いており、このコネクタ部１３を介してハンディターミナル１０とパソコン２０との通信を可能としている。また、表示部１４には、ＬＣＤ等の表示装置を用いており、表示部１４はμＣＯＭ１０から入力される情報に基づいた表示を行う。
【００４４】
操作部１５は、複数のテンキーボタン１５ａ、確認ボタン１５ｂ、欠品ボタン１５ｃ等の各種ボタンを有して構成しており、ボタンが押下されると、その押下されたボタンに対応する情報がμＣＯＭ１１に出力される。なお、確認ボタン１５ｂは電線の確認を行うときなど、欠品ボタン１５ｃは表示部１４にて指示された電線が存在しないとき等に作業者によって押下される。
【００４５】
リーダ部１６には、電線側に設けられた識別情報を読み取ることが可能な読取装置が用いられる。本実施の形態では、図４に示す識別情報が印刷されたタグを電線側に設けており、識別情報をバーコードとしていることから、バーコードを工学的に読み込むハンドスキャナ等の読み取り装置を用いている。そして、タグの識別情報については、作業者にも確認できるように、英数字等のコードでも印刷している。そして、リーダ部１６によって読み取られたバーコード（識別情報）はコード変換され、このコード変換されたバーコード情報をμＣＯＭ１１に出力する。
【００４６】
なお、識別情報については、同一種類の複数の電線が束ねられた電線束を作業者に採集させる場合は、電線束に上述したタグを装着することで対応することができるが、電線を一本毎採集させる場合は識別情報を例えば電線の被覆等に印刷するようにしてもよい。
【００４７】
また、ハンディターミナル１０のＲＯＭ１１ｂには、電線を種類毎に収容している複数の電線収容体から、ワイヤハーネスの製造に用いる前記電線の採集を指示するための指示情報に基づいて指示させ、この指示した電線が採集されたか否かをコンピュータに判定させるための電線採集判定プログラムを記憶していることから、本実施の形態では、ハンディターミナル１０のＲＯＭ１１ｂがコンピュータ読み取り可能な記憶媒体に相当している。
【００４８】
次に、パソコン２０側の構成を説明する。
パソコン２０は、図５に示すように、予め定めたプログラムに従って装置全体の動作の制御などを行う中央演算処理装置（ＣＰＵ）２０ａを有している。このＣＰＵ２０ａには、バスＢを介してＣＰＵ２０ａのためのプログラム等を格納した読み出し専用のメモリであるＲＯＭ２０ｂ、ＣＰＵ２０ａの処理作業に必要な各種データを格納する作業エリア等を有する読み出し書き込み自在のメモリであるＲＡＭ２０ｃが接続されている。
【００４９】
ＣＰＵ２０ａにはさらに、記憶装置２０ｄがバスＢを介して接続されており、この記憶装置２０ｄにはハードディスク装置などの記憶媒体を用いている。この記憶装置２０ｄは、図６に示すように、指示情報生成プログラムファイルＦ１、構成情報ファイルＦ２、位置情報ファイルＦ３、実績情報ファイルＦ４等の各種ファイルを記憶している。
【００５０】
なお、本実施の形態においては、上述した各種ファイルはＣＤ−ＲＯＭやフロッピーディスク等のコンピュータが読み込むことができる記憶媒体から記憶装置２０ｄにインストールしている。しかしながら、本発明はこれに限定するものではなく、ファイルのインストールについては、通信インタフェースなどを設け、インターネットや電話回線を介してダウンロードするなど種々異なる実施の形態とすることもできる。
【００５１】
ＣＰＵ２０ａにはさらに、入力装置インタフェース（Ｉ／Ｆ）２０ｅ、表示装置インタフェース（Ｉ／Ｆ）２０ｆ、プリンタインタフェース（Ｉ／Ｆ）２０ｇ、コネクタ２０ｈがバスＢを介して接続されている。入力装置Ｉ／Ｆ２０ｅに、キーボードやマウスを有して構成する入力装置２１が接続されると、その入力装置２１から入力された各種入力データは、バスＢに供給されてＣＰＵ２０ａに入力される。
【００５２】
表示装置Ｉ／Ｆ２０ｆには、ＣＲＴや液晶ディスプレイなどを用いて構成される表示装置２２が接続されている。そして、この表示装置Ｉ／Ｆ２０ｆは、表示装置２２の表示内容をＣＰＵ２０ａからの指示に基づいて制御するものである。また、プリンタＩ／Ｆ２０ｇには、プリンタ３０を接続している。そして、このプリンタ３０はプリンタＩ／Ｆ２０ｇ介してＣＰＵ２０ａから入力される情報に基づいた印刷を行う。コネクタ２０ｈには、ハンディターミナル１０のコネクタ部１３に対応してＲＳ−２３２Ｃ、ＵＳＢ（Universal Serial Bus）等が用いられる。
【００５３】
次に、上述した記憶装置２０ｄに記憶される各種ファイルについて説明する。
まず、指示情報生成プログラムファイルＦ１は、電線収容体から電線を採集する採集順番を指示するための指示情報を生成する手段としてパソコン２０を機能させるためのプログラムを格納している。
【００５４】
構成情報ファイルＦ２は、図７に示すように、ワイヤハーネスを構成する電線を示す構成情報を製品毎に複数格納している。この構成情報は、構成する電線毎に対応する電線情報を有し、電線情報は、電線構成Ｎｏデータ、形状データ、格納先データ等の各種データを有する。
【００５５】
電線構成Ｎｏデータは、電線の構成を示すＮｏで、同一の製品品番内でＮｏが重複しないように、種類毎に全ての電線に割り付けられている。形状データは、電線の品種、サイズ、色、端子品番等の電線の形状に関するデータを設定している。格納先データは、電線構成Ｎｏに対応する位置情報が格納される格納先アドレスを設定している。
【００５６】
位置情報ファイルＦ３は、図８に示すように、電線が収容される電線収容体の位置を示す位置情報を複数有して構成しており、この位置情報は、前記電線情報に対応して設けている。
【００５７】
ここで、本実施の形態における電線収容体が設けられる工場における位置の概念を説明する。図９において、工場Ａ内を複数の区画に画定し、この区画内に配置している棚毎に棚番を割り付けている。そして、この棚は複数の電線収容体Ｒがマトリックス状に集合する構成となっている。
【００５８】
上述した構成では、図８に示すように、位置情報が工場データ、区画データ、棚番データ、棚行列データを有する構成とすることで、電線収容体の位置を特定することができる。そして、位置情報が電線構成Ｎｏデータを有する構成とすることで、この電線構成Ｎｏデータに基づいて位置情報に対応する電線情報を特定することができる。
【００５９】
例えば、図９の電線収容体Ｒ２２の位置情報は、工場データに工場を識別する情報として”工場Ａ”、区画データに区画を識別する情報として”区画ｆ３２”、棚番データに棚を識別する情報として”棚番▲３▼”、棚行列データに棚における電線収容体の位置を識別する”２行２列”がそれぞれ設定される。
【００６０】
次に、パソコン２０にて生成する指示情報を、図１０の図面を参照して説明する。
図１０は指示情報をパソコン２０からハンディターミナル１０に送信する際に用いる通信情報を示し、通信情報は管理情報と、指示すべき複数の指示情報を有して構成している。管理情報は、通信情報が有する指示情報の個数、ワイヤハーネスの製品品番等を示す各種データを有する。
【００６１】
指示情報は、指示順番データと、上述した電線構成Ｎｏ、形状、工場、区画、棚番、棚行列等の各種データとを有して構成している。この指示情報は、上述した構成情報とこの構成情報に関連付けられた位置情報に基づいて生成される。なお、指示順番データは、指示する順番を設定するものであり、通信情報を構成する順番で指示情報に基づく指示を行う場合は、このデータを構成から削除してもよい。さらに、電線の形状をハンディターミナル１０の表示部１４に表示させない場合は、このデータも構成から削除してもよい。
【００６２】
次に、上述した構成における電線採集判定装置の処理概要の一例を、ハンディターミナル１０のＣＰＵ１１ａとパソコン２０のＣＰＵ２０ａとが行う本発明に係る処理概要に着目し、図１１及び図１２の図面を参照して以下に説明する。
【００６３】
パソコン２０にハンディターミナル１０がケーブルＣによって接続され、ハンディターミナル１０及びパソコン２０のそれぞれの電源（図示せず）が投入され、パソコン２０の指示情報生成プログラムが実行されると、表示装置２２にワイヤハーネスの製品番号を管理者、作業者等に入力させるために品番入力画面を表示装置２２に表示させるための品番入力画面情報が生成されて表示装置２２に出力されることで、表示装置２２に品番入力画面が表示される。
【００６４】
ステップＳ１１２において、入力装置２１からの入力データに基づいて品番入力画面に応じた製品品番が入力されたか否かが判定される。製品品番が入力されていないと判定された場合は（ステップＳ１１２でＮ）、この判定処理を繰り返すことで製品品番の入力を待つ。一方、製品品番が入力されたと判定された場合は（ステップＳ１１２でＹ）、ステップＳ１１３に進む。
【００６５】
ステップＳ１１３（抽出手段に相当）において、記憶装置２０ｄに記憶している構成情報ファイルＦ２から入力された製品品番に対応する構成情報がＲＡＭ２０ｃに抽出されるとともに、この構成情報が有する電線情報の格納先データに基づいて各電線情報に対応する位置情報が位置情報ファイルＦ３からＲＡＭ２０ｃに抽出され、その後ステップＳ１１４に進む。
【００６６】
ステップＳ１１４（指示情報生成手段に相当）において、ＲＡＭ２０ｃに抽出した構成情報が有する電線情報とこの電線情報毎に対応する位置情報とに基づいて、図１０に示す指示情報が電線情報毎に対応して生成され、全ての指示情報の生成が終了するとステップＳ１１５に進む。
【００６７】
ここで、本実施の形態における指示情報の生成の詳細について説明する。
図１０に示すように、電線情報と位置情報に基づいて全ての指示情報が生成されると、まず、指示情報が同一の工場データ毎に並び替えられる。そして、区画データをキーにして指示情報が例えば昇順に並び替えられると、同一の区画データ毎に棚番データをキーとして指示情報が例えば昇順に並び替えられる。そして、同一の棚番毎に棚行列データをキーとして指示情報が例えば行毎、列毎に並び替えが行われる。そして、全ての並び替えが終了すると、指示情報の先頭から各指示情報の指示順番データに採集順番が割り振られる。
【００６８】
よって、本実施の形態では、図９に示すように、電線収容体の位置を割り振っているため、上述した指示情報の並び替えを行って採集順番を定めることで、この採集順番が全ての電線収容体を巡回する距離が最短となる順番ということになる。
【００６９】
なお、採集順番の決定方法はこれに限定するものではなく、電線収容体を巡回する距離及び巡回に要する時間の少なくとも一方が最短となればよいため、距離、時間をシミュレーションなどを用いて算出して最短の順番を決定するなど種々異なる実施の形態とすることができる。
【００７０】
次にステップＳ１１５において、並び替えられた指示情報群の先頭に、ワイヤハーネスの製品品番や指示情報の個数等を設定した管理情報が付加されて通信情報が生成され、この通信情報がコネクタ２０ｈに出力されることで、通信情報がハンディターミナル１０に送信される。
【００７１】
一方、ハンディターミナル１０側では、コネクタ部１３を介してパソコン２０から通信情報（指示情報）を受信すると（ステップＳ２１１）、表示部１４に指示情報を表示させるための指示画面情報が通信情報における先頭の指示情報に基づいて生成され、指示画面情報が表示部１４に出力されることで、表示部１４に最初の指示情報が表示され（ステップＳ２１２：表示制御手段に相当）、その後ステップＳ２１３に進む。
【００７２】
ステップＳ２１３において、操作部１５からの入力データに基づいて欠品ボタン１５ｃが押下されたか否かが判定される。欠品ボタン１５ｃが押下されたと判定された場合は（ステップＳ２１３でＹ）、ステップＳ２１４に進む。そして、ステップＳ２１４（欠品情報生成手段に相当）において、指示情報に基づいてＥＥＰＲＯＭ１２に欠品情報が生成され、ステップＳ２２２に進む。
【００７３】
なお、この欠品情報を通信などによって在庫管理装置等に送信するようにすれば、電線の欠品を管理者等に認識させることができるため、速やかに電線の補充を行うことができるため、電線の在庫管理におけるメンテナンスを速やかに行うことができる。
【００７４】
また、ステップＳ２１３で欠品ボタン１５ｃが押下されていないと判定された場合は（ステップＳ２１３でＮ）、ステップＳ２１５に進む。そして、ステップＳ２１５において、操作部１５からの入力データに基づいて採集を指示した電線にバーコード（識別情報）が有るか否かが判定される。
【００７５】
ステップＳ２１５でバーコードが存在しないと判定された場合は（ステップＳ２１５でＮ）、識別情報を作業者等に入力させるために入力画面を表示部１４に表示させるための入力画面情報がＲＡＭ１１ｃに生成され、入力画面情報が表示部１４に出力されることで、表示部１４に入力画面が表示される（ステップＳ２１６）。そして、ステップＳ２１７において、入力画面に応じた識別情報が操作部１５を介してＲＡＭ１１ｃに取り込まれ、その後ステップＳ２１９に進む。なお、前記タグにバーコードが存在しない場合は、作業者に識別情報を入力させることから、この場合はステップＳ２１６及びＳ２１７が識別情報取込手段として機能することになる。
【００７６】
また、ステップＳ２１５でバーコードが存在すると判定された場合は（ステップＳ２１５でＹ）、ステップＳ２１８に進む。そして、ステップＳ２１８において、識別情報取込手段であるリーダ部１６から入力されたバーコード情報が識別情報としてＲＡＭ１１ｃに取り込まれ、その後ステップＳ２１９に進む。
【００７７】
ステップＳ２１９（判定手段に相当）において、ＲＡＭ１１ｃに取り込まれた識別情報と指示情報とが比較され、この比較結果に基づいて識別情報が正しいか否かが判定される。識別情報が正しくないと判定された場合は（ステップＳ２１９でＮ）、ステップＳ２２０に進む。
【００７８】
ステップＳ２２０（警報情報生成手段に相当）において、表示部１４にて作業者等に警報するための警報画面を表示させるための警報情報がＲＡＭ１１ｃに生成され、その後ステップＳ２２１に進む。そして、ステップＳ２２１（警報情報出力手段に相当）において、ＲＡＭ１１ｃの警報情報が表示部（警報手段に相当）１４に出力されることで、表示部１４に警報画面が表示され、その後ステップＳ２１３に戻り、一連の処理を繰り返す。
【００７９】
なお、本実施の形態では、取り込んだ識別情報が正しくないときに表示部１４に警報画面を表示することで、作業者等に誤った電線を取り込んだことを警報しているため、作業者等に電線の取り違えを速やかに気づかせることができる。また、警報表示と共に警報音を発するようにすれば、より一層確実に電線の取り違えを気づかせることができる。
【００８０】
また、ステップＳ２１９で識別情報が正しいと判定された場合は（ステップＳ２１９でＹ）、ステップＳ２２２に進む。そして、ステップＳ２２２（実績情報生成手段に相当）において、正しいと判定された識別情報に対応する指示情報が実績情報としてＥＥＰＲＯＭ１２に収集され、その後ステップ２２３に進む。
【００８１】
ステップＳ２２３において、受信した通信情報が有する全ての指示情報に基づく指示が終了したか否かが判定される。全ての指示が終了していないと判定された場合は（ステップＳ２２３でＮ）、ステップＳ２２４に進む。そして、ステップＳ２２４（表示制御手段に相当）において、表示部１４に指示情報を表示させるための指示画面情報が、次の指示として通信情報から抽出された指示情報に基づいて生成され、指示画面情報が表示部１４に出力されることで、表示部１４に次の指示情報が表示され、その後ステップＳ２１３に戻り、全ての指示が終了するまで一連の処理を繰り返す。
【００８２】
また、ステップＳ２２３で全ての指示が終了したと判定された場合は（ステップＳ２２３でＹ）、図１２に示すステップＳ２２５に進む。そして、ステップＳ２２５において、要求されたワイヤハーネスの製品品番に必要な電線の採集が終了したことを示す終了情報がＲＡＭ１１ｃに生成され、この終了情報がコネクタ部１３に出力されることで、終了情報がパソコン２０に送信される。
【００８３】
一方、パソコン２０側では、コネクタ２０ｈを介してハンディターミナル１０から終了情報を受信すると（ステップＳ１２１）、表示装置２２に終了情報を示す終了画面を表示させるための終了画面情報が終了情報に基づいて生成され、終了画面情報が表示装置２２に出力されることで、表示装置２２に終了画面が表示され（ステップＳ１２２）、その後ステップＳ１２３に進む。
【００８４】
なお、本実施の形態では、この終了画面に実績情報をハンディターミナル１０から吸い上げることを要求するボタンを表示するようになっており、このボタンが入力装置２１によって選択されると、実績受信要求が発生するようになっている。
【００８５】
ステップＳ１２３において、実績受信要求が発生しているか否かを判定することで、実績受信要求を受けているか否かが判定される。実績受信要求を受けていないと判定された場合は（ステップＳ１２３でＮ）、この判定処理を繰り返すことで、実績受信要求の発生を待つ。
【００８６】
なお、本実施の形態では、実績受信要求を待つ形態となっているが、装置の仕様によっては種々異なる実施の形態とすることができる。例えば、実績情報の吸い上げが不要と指示されると、図１１のステップＳ１１１に戻り、次の製品番号の入力を待つようにしてもよい。また、実績情報をパソコン２０に吸い上げる必要がない場合は、ステップＳ１２２の処理によって終了情報の表示が終了すると、上述したようにステップＳ１１１に戻るという実施の形態としてもよい。
【００８７】
また、ステップＳ１２３で実績受信要求を受けていると判定された場合は（ステップＳ１２３でＹ）、ステップＳ１２４に進む。そして、ステップＳ１２４において、実績情報の送信をハンディターミナル１０に要求するための実績送信要求がコネクタ２０ｈに出力されることで、実績送信要求がハンディターミナル１０に送信される。
【００８８】
一方、ハンディターミナル１０側では、コネクタ部１３を介してパソコン２０から実績送信要求を受信すると（ステップＳ２３１）、ＥＥＰＲＯＭ１２に格納している実績情報がコネクタ部１３に出力されることで、実績情報がパソコン２０に送信される（ステップＳ２３２）。
【００８９】
一方、パソコン２０側では、コネクタ２０ｈを介してハンディターミナル１０から実績情報を受信すると（ステップＳ１３１）、この受信した実績情報は図６の実績情報ファイル（実績情報記憶手段）Ｆ４に追加されて格納され（ステップＳ１３２）、その後ステップＳ１３３に進む。
【００９０】
ステップＳ１３３において、受信した実績情報に基づいて全ての指示情報で指示した電線が採集させているかが解析され、この解析結果に基づいて欠品が発生しているか否かが判定される。実績情報に全ての指示情報に対応する判定結果が存在する、つまり、欠品が発生していないと判定された場合は（ステップＳ１３３でＮ）、図１１のステップＳ１１１に戻り、次の製品品番の入力を待つこととなる。一方、実績情報に全ての指示情報に対応する判定結果が存在しない、つまり、欠品が発生していると判定された場合は（ステップＳ１３３でＹ）、ステップＳ１３４に進む。
【００９１】
ステップＳ１３４（欠品警報情報生成手段に相当）において、電線の欠品が発生したことを、表示装置２２にて警報するための警報画面を表示するために欠品警報情報がＲＡＭ２０ｃに生成され、その後ステップＳ１３５に進む。そして、ステップＳ１３５（欠品警報情報出力手段に相当）において、欠品警報情報が表示装置２２に出力されることで、表示装置２２に警報画面が表示され、その後図１１のステップＳ１１１に戻り、次の製品品番の入力を待つこととなる。
【００９２】
なお、本実施の形態では、欠品警報情報を表示装置２２に出力する場合について説明しているが、本発明はこれに限定するものではなく、種々異なる実施の形態とすることができる。例えば、パソコン２０の構成に通信装置を設けて、欠品警報情報を通信装置に出力することで、通信装置を介して電線在庫管理装置に欠品警報情報を送信し、電線在庫管理装置にて欠品警報情報に基づいて電線の手配を要求する手配情報を生成し、この手配情報に基づいて電線の手配を行う実施の形態とすることもできる。
【００９３】
以上説明したように、構成情報ファイル（構成情報記憶手段）Ｆ２にワイヤハーネスを構成する電線を示す構成情報が複数記憶され、位置情報ファイル（位置情報記憶手段）Ｆ３に電線が収容される電線収容体の位置を示す位置情報が電線情報に関連付けられて記憶される。そして、指示の対象となるワイヤハーネスに対応する構成情報とこの構成情報に関連付けられた位置情報が、パソコン２０のＣＰＵ（抽出手段）２０ａによって構成情報ファイルＦ２及び位置情報ファイルＦ３からそれぞれ抽出される。
【００９４】
そして、この構成情報及び位置情報に基づいて、電線収容体から電線を採集する採集順番を指示するための指示情報がパソコン２０のＣＰＵ（指示情報生成手段）２０ａによって生成され、この指示情報を表示部１４に表示させる制御がハンディターミナル１０のＣＰＵ（表示制御手段）１１ａによって行われる。そして、指示情報によって電線が採集されて電線側のバーコード（識別情報）がリーダ部（識別情報取込手段）１６によって取り込まれると、この識別情報に基づいて指示情報にて指示した電線が採集されたか否かがハンディターミナル１０のＣＰＵ（判定手段）１１ａによって判定される。
【００９５】
よって、電線情報とそれに対応する位置情報を関連付けて記憶し、電線情報と位置情報に基づいて指示情報を生成し、この生成した指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、指示情報に基づいて指示した電線が採集されたか否かを判定するので、作業者が誤った電線を採集したことを検出することができるため、誤った電線の採集を阻止することができる。従って、電線収容体の位置の移動に容易に対応でき、かつ指示した電線を正確に採集させることができる電線採集判定装置を提供することができる。
【００９６】
また、電線の採集を行うために電線収容体を巡回する距離が最短となる順番になるように電線を採集する採集順番を定めて指示情報を生成しているため、この指示情報に基づいて電線の採集を指示することで、作業者は電線収容体を巡回する距離が最短で電線を採集することができる。
【００９７】
さらに、採集する電線はその種類毎に指示され、指示した電線が採集されるまで次の指示を行わないため、正確に電線の採集を行うことができる。そして、指示した電線が採集されないと、表示部（警報手段）１４にて警報を行うので、作業者は速やかに誤った電線を採集したことを認識することができる。
【００９８】
また、採集した電線が指示した電線か否かを判定した判定結果を実績情報として実績情報ファイルＦ４に記憶しておき、全ての指示情報に対応する実績情報が存在していないと、欠品が生じていると判定することができるため、欠品を検出した時に欠品警報情報を生成して表示装置２２に出力することで、電線の欠品を管理者等に警報することができる。よって、実績情報に基づいて欠品警報情報を自動的に生成して出力することで、この出力に応じて欠品となっている電線の補充等のメンテナンスを行うことができる。
【００９９】
なお、以上の説明からも明らかなように、上述した本実施の形態では、ハンディターミナル１０のＣＰＵ１１ａが、表示制御手段、判定手段、警報情報生成手段、欠品情報生成手段、並びに、欠品情報出力手段として機能し、また、パソコン２０のＣＰＵ２０ａが抽出手段、指示情報生成手段、欠品警報情報生成手段、並びに、欠品警報情報出力手段として機能している。
【０１００】
さらに、上述した本実施の形態では、構成情報記憶手段に相当する構成情報ファイルＦ２、位置情報記憶手段に相当する位置情報ファイルＦ３、実績情報記憶手段に相当する実績情報ファイルＦ４をパソコン２０の記憶装置２０ｄに記憶していることからも明らかなように、記憶装置２０ｄが構成情報記憶手段、位置情報記憶手段、並びに実績情報記憶手段として記憶している。
【０１０１】
また、上述した本実施の形態では、作業者に対する指示と採集した電線の確認を行う機能をハンディターミナル１０で実現することで、装置本体を作業者が携帯可能なようにしている。その結果、作業者等が装置本体を携帯した状態で電線の採集を行うことができるので、指示に応じて電線を採集する毎にその場で正しい電線を採集したか否かを判定することができる。従って、作業者等に装置本体を携帯させることで、指示した電線をより一層確実に採集させることができる。
【０１０２】
しかしながら、本発明はこれに限定するものではなく、パソコン２０側の機能も全てハンディターミナル１０に設けて、ハンディターミナル１０で指示情報の生成して採集された電線の判定を行うようにすれば、電線採集判定装置をハンディターミナル１０のみで実現することもできる。
【０１０３】
また、本実施の形態では、電線採集判定装置をハンディターミナル１０とパソコン２０によって構成したため、ハンディターミナル１０に構成情報と位置情報を抽出する抽出手段、この抽出した構成情報と位置情報に基づいて指示情報を生成する手段としてコンピュータを機能させるためのプログラムとして指示情報生成プログラムをパソコンの記憶装置２０ｄに記憶させたが、ハンディターミナル１０のみで電線採集判定装置を実現させる場合は、例えば指示情報生成プログラムが電線採集判定プログラムに併合されて、ＲＯＭ１１ｂに記憶されることとなる。
【０１０４】
【発明の効果】
以上説明したように請求項１に記載した本発明の電線採集判定装置によれば、電線情報とそれに対応する位置情報を関連付けて記憶し、電線情報と位置情報に基づいて指示情報を生成し、この生成した指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、指示情報に基づいて指示した電線が採集されたか否かを判定するので、作業者が誤った電線を採集したことを検出することができるため、誤った電線の採集を阻止することができる。従って、電線採集判定装置によって電線収容体の位置の移動に容易に対応でき、かつ指示した電線を正確に採集させることができるという効果を奏する。
【０１０５】
請求項２に記載の発明によれば、請求項１に記載の発明の効果に加え、電線の採集を行うために電線収容体を巡回する距離及び巡回に要する時間の少なくとも一方が最短となる順番になるように電線を採集する採集順番を定めて指示情報を生成しているため、この指示情報に基づいて電線の採集を指示することで、作業者は電線収容体を巡回する距離及び巡回に要する時間の少なくとも一方が最短で電線を採集することができる。従って、指示情報に基づいて電線の採集順番を指示することで、作業者は効率よく電線の採集を行うことができるという効果を奏する。
【０１０６】
請求項３に記載の発明によれば、請求項１又は２に記載の発明の効果に加え、採集する電線はその種類毎に指示され、指示した電線が採集されるまで次の指示を行わないため、正確に電線の採集を行うことができる。従って、指示した電線をより一層正確に作業者に採集させることができるという効果を奏する。
【０１０７】
請求項４に記載の発明によれば、請求項１〜３の何れかに記載の発明の効果に加え、指示した電線が採集されないと、警報手段１４ｂが警報するので、作業者は速やかに誤った電線を採集したことを認識することができる。従って、誤った電線の採集を確実に防止することができるという効果を奏する。
【０１０８】
請求項５に記載の発明によれば、請求項１〜４の何れかに記載の発明の効果に加え、作業者や在庫管理装置等からの入力によって指示した電線が電線収容体に存在しないことを認識すると欠品情報を生成し、この欠品情報を表示装置、通信装置等に出力することで、電線の欠品を管理者等に認識させることができる。従って、欠品情報の出力に応じて欠品となっている電線の補充等のメンテナンスを行うことができるという効果を奏する。
【０１０９】
請求項６に記載の発明によれば、請求項１〜５の何れかに記載の発明の効果に加え、採集した電線が指示した電線か否かを判定した判定結果を実績情報として記憶しておき、全ての指示情報に対応する実績情報が存在していないと、欠品が生じていると判定することができるため、欠品を検出した時に欠品警報情報を生成して例えば表示装置、通信装置等に出力することで、電線の欠品を管理者等に警報することができる。従って、実績情報に基づいて欠品警報情報を自動的に生成して出力することで、この出力に応じて欠品となっている電線の補充等のメンテナンスを行うことができるという効果を奏する。
【０１１０】
請求項７に記載の発明によれば、請求項１〜６の何れかに記載の発明の効果に加え、作業者等が装置本体を携帯した状態で電線の採集を行うことができるので、指示に応じて電線を採集する毎にその場で正しい電線を採集したか否かを判定することができる。従って、作業者等に装置本体を携帯させることで、指示した電線をより一層確実に採集させることができるという効果を奏する。
【０１１１】
以上説明したように請求項８に記載した本発明の電線採集判定プログラムを記憶したコンピュータ読み取り可能な記録媒体によれば、コンピュータは電線情報とそれに対応する位置情報を関連付けて記憶された電線情報と位置情報に基づいて指示情報を生成し、この生成した指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、コンピュータは指示情報に基づいて指示した電線が採集されたか否かを判定するので、作業者が誤った電線を採集したことを検出することができるため、誤った電線の採集を阻止することができる。従って、コンピュータによって電線収容体の位置の移動に容易に対応でき、かつ指示した電線を正確に採集させることができるという効果を奏する。
【０１１２】
請求項９に記載の発明によれば、請求項８に記載の発明の効果に加え、コンピュータは電線の採集を行うために電線収容体を巡回する距離及び巡回に要する時間の少なくとも一方が最短となる順番になるように電線を採集する採集順番を定めて指示情報を生成するため、この指示情報に基づいて電線の採集を指示することで、作業者は電線収容体を巡回する距離及び巡回に要する時間の少なくとも一方が最短で電線を採集することができる。従って、コンピュータによって指示情報に基づいて電線の採集順番を指示することで、作業者に効率よく電線の採集を行わせることができるという効果を奏する。
【０１１３】
請求項１０に記載の発明によれば、請求項８又は９に記載の発明の効果に加え、コンピュータは採集する電線の種類毎に指示を行い、この指示した電線が採集されるまで次の指示を行わないため、正確に電線の採集を行うことができる。従って、コンピュータによって指示した電線をより一層正確に作業者に採集させることができるという効果を奏する。
【０１１４】
以上説明したように請求項１１に記載した本発明の電線採集判定プログラムを記憶したコンピュータ読み取り可能な記録媒体によれば、コンピュータは電線情報とこの電線情報に関連付けられた位置情報とに基づいて生成された指示情報に基づいて電線を採集する順番を指示しているので、電線収容体の位置の変更等が生じても位置情報を変更することで容易に対応することができる。また、電線収容体には検出部を設ける必要がなくなるため、電線の品番の増加に容易に対応することができる。さらに、コンピュータは指示情報に基づいて指示した電線が採集されたか否かを判定するので、作業者が誤った電線を採集したことを検出することができるため、誤った電線の採集を阻止することができる。従って、コンピュータによって電線収容体の位置の移動に容易に対応でき、かつ指示した電線を正確に採集させることができるという効果を奏する。
【０１１５】
請求項１２に記載の発明によれば、請求項８〜１１の何れかに記載の発明の効果に加え、コンピュータは指示した電線が採集されていないと判定すると警報手段１４ｂに警報させるので、作業者は速やかに誤った電線を採集したことを認識することができる。従って、コンピュータによって誤った電線の採集を確実に防止させることができるという効果を奏する。
【０１１６】
請求項１３に記載の発明によれば、請求項８〜１２の何れかに記載の発明の効果に加え、コンピュータは作業者や在庫管理装置等の外部からの入力によって指示した電線が電線収容体に存在しないことを認識すると欠品情報を生成し、この欠品情報を表示装置、通信装置等に出力することで、電線の欠品を管理者等に認識させることができる。従って、コンピュータによって欠品情報の出力に応じて欠品となっている電線の補充等のメンテナンスに貢献することができるという効果を奏する。
【０１１７】
請求項１４に記載の発明によれば、請求項８〜１３の何れかに記載の発明の効果に加え、コンピュータは採集した電線が指示した電線か否かを判定した判定結果を示す実績情報に全ての指示情報に対応する実績情報が存在していないと、欠品が生じていると判定して欠品警報情報を生成し、この欠品警報情報を例えば表示装置、通信装置等に出力するので、電線の欠品を管理者等に警報することができる。従って、コンピュータによって実績情報に基づいて欠品警報情報を自動的に生成して出力することで、この出力に応じて欠品となっている電線の補充等のメンテナンスに貢献することができるという効果を奏する。
【図面の簡単な説明】
【図１】本発明の電線採集判定装置の基本構成を示す図である。
【図２】本発明に係る電線採集判定装置の概略構成を示す構成図である。
【図３】図２のハンディターミナルの概略構成を示す構成図である。
【図４】電線側に設けられる識別情報の一例を説明するための図である。
【図５】図２のパソコンの概略構成を示す構成図である。
【図６】図５の記憶装置に記憶するファイルを説明するための図である。
【図７】構成情報の一例を説明するための図である。
【図８】位置情報の一例を説明するための図である。
【図９】電線収容体が設けられる工場における位置の概念の一例を説明するための図である。
【図１０】指示情報の一例を説明するための図である。
【図１１】電線採集判定装置の処理概要の一部を示したフローチャートである。
【図１２】電線採集判定装置の処理概要の他の一部を示したフローチャートである。
【符号の説明】
１１ａ１      表示制御手段（ハンディターミナルのＣＰＵ）
１１ａ２      判定手段（ハンディターミナルのＣＰＵ）
１１ａ３      警報情報生成手段（ハンディターミナルのＣＰＵ）
１１ａ４      欠品情報生成手段（ハンディターミナルのＣＰＵ）
１１ａ５      欠品情報出力手段（ハンディターミナルのＣＰＵ）
１４ａ        表示部（ハンディターミナルの表示部）
１４ｂ        警報手段（ハンディターミナルの表示部）
２０ａ１      抽出手段（パソコンのＣＰＵ）
２０ａ２      指示情報生成手段（パソコンのＣＰＵ）
２０ａ３      欠品警報情報生成手段（パソコンのＣＰＵ）
２０ａ４      欠品警報情報出力手段（パソコンのＣＰＵ）
２０ｄ１      構成情報記憶手段（パソコンの記憶装置）
２０ｄ２      位置情報記憶手段（パソコンの記憶装置）
２０ｄ３      実績情報記憶手段（パソコンの記憶装置）
【図１】
0003978315.tif 000002
【図２】
0003978315.tif 000003
【図３】
0003978315.tif 000004
【図４】
0003978315.tif 000005
【図５】
0003978315.tif 000006
【図６】
0003978315.tif 000007
【図７】
0003978315.tif 000008
【図８】
0003978315.tif 000009
【図９】
0003978315.tif 000010
【図１０】
0003978315.tif 000011
【図１１】
0003978315.tif 000012
【図１２】
0003978315.tif 000013